(57)【要約】【課題】フェンス等に用いる支柱の設置を、簡易かつ正確に行うことができる支柱保持具を提供する。【解決手段】支柱保持具１０は、鉛直に立てられた支柱１２の周囲に配置されて、支柱１２を一時的に保持する。支柱保持具１０は、長手材１４と副材１６を備える。長手材１４は、支柱１２の側面１２ａに触れる接触面１４ａを備える。副材１６は長手材１４に支持され、第一面１６ａと、第一面１６ａの反対側の第二面１６ｂを備える。第一面１６ａには支柱１２の長さ方向に沿った複数の溝２０，２２が設けられている。第二面１６ｂは支柱の他の側面１２ｂに触れる。支柱保持具１０は、輪ゴム等の弾性リング５０によって支柱１２に仮固定される。【選択図】図７
0003191184.tif 000002
【実用新案登録請求の範囲】
【請求項１】
鉛直に立てられた支柱の周囲に配置されて、前記支柱を一時的に保持する支柱保持具であって、
前記支柱の側面に触れる接触面を備える長手材と、
前記長手材に支持されるとともに、前記支柱の長さ方向に沿った溝が設けられた第一面と、前記第一面の反対側にあり、前記側面と異なる前記支柱の他の側面に触れる第二面とを備える副材と、
を有する支柱保持具。
【請求項２】
請求項１において、
前記支柱の長さ方向に沿った複数の溝が前記第一面に設けられた支柱保持具。
【請求項３】
請求項１または２において、
一端が前記副材の前記第一面側に配置され、中間部が前記長手材の前記接触面の反対側で交差して、他端が前記副材の前記第二面側に配置される弾性リングをさらに有する支柱保持具。
【請求項４】
請求項１から３のいずれかにおいて、
前記第一面が向かい合うように２つの前記副材を有する支柱保持具。
【考案の詳細な説明】
【技術分野】
【０００１】
本考案は、フェンス等に用いる支柱の設置を、簡易かつ正確に行うことができる支柱保持具に関するものである。
【背景技術】
【０００２】
庭やウッドデッキ等の外周に設置するフェンスには、支柱と横材を組み合わせて構成されるものがある。このフェンスは、例えば、複数の支柱の下部を所定の間隔で地中やデッキフロア上に鉛直に固定した後、隣り合った支柱の間に、複数の横材を上下方向に並べて固定することによって設置する。しかしながら、支柱を鉛直に設置したり、複数の支柱を所定の間隔で設置するのは、時間や労力を要する。
【考案の概要】
【考案が解決しようとする課題】
【０００３】
本考案はこのような事情に鑑みてなされたものであり、支柱の設置を、簡易かつ正確に行うことができる支柱保持具を提供することを目的とする。
【課題を解決するための手段】
【０００４】
本考案の支柱保持具は、鉛直に立てられた支柱の周囲に配置されて、支柱を一時的に保持する支柱保持具であって、支柱の側面に触れる接触面を備える長手材と、長手材に支持されるとともに、支柱の長さ方向に沿った溝が設けられた第一面と、第一面の反対側にあり、側面と異なる支柱の他の側面に触れる第二面とを備える副材と、を有する。
【０００５】
本考案において、支柱の長さ方向に沿った複数の溝が第一面に設けられてもよい。また、本考案において、一端が副材の第一面側に配置され、中間部が長手材の接触面の反対側で交差して、他端が副材の第二面側に配置される弾性リングをさらに有していてもよい。また、本考案において、第一面が向かい合うように２つの副材を有していてもよい。
【考案の効果】
【０００６】
本考案によれば、フェンス等に用いる支柱の設置を、簡易かつ正確に行うことができる。
【図面の簡単な説明】
【０００７】
【図１】本考案の第一の実施形態に係る支柱保持具の平面図である。
【図２】図１の支柱保持具の正面図である。
【図３】本考案の第二の実施形態に係る支柱保持具の平面図である。
【図４】３本の支柱に本考案の第二の実施形態に係る支柱保持具を仮固定した状態を示す正面図である。
【図５】本考案の第一の実施形態に係る支柱保持具を支柱に仮固定する方法を説明するための図で、（ａ）は平面図、（ｂ）は左側面図である。
【図６】本考案の第一の実施形態に係る支柱保持具を支柱に仮固定する方法を説明するための図で、（ａ）は平面図、（ｂ）は左側面図である。
【図７】本考案の第一の実施形態に係る支柱保持具を支柱に仮固定する方法を説明するための図で、（ａ）は平面図、（ｂ）は左側面図である。
【考案を実施するための形態】
【０００８】
以下、本考案の支柱保持具について、図面を参照しながら各実施形態に基づいて説明する。なお、図面は、支柱保持具、支柱保持具を構成する部材、および支柱保持具の周辺部材、例えば支柱を模式的に表したものであり、これらの実物の寸法および寸法比は、図面上の寸法および寸法比と必ずしも一致していない。また、重複説明は適宜省略し、同一部材には同一符号を付与することがある。
【０００９】
（第一の実施形態）
図１は本考案の第一の実施形態に係る支柱保持具１０の平面図であり、図２は支柱保持具１０の正面図である。図１と図２は、それぞれ支柱１２の周囲に配置された状態を示す。すなわち、支柱保持具１０は、鉛直に立てられた支柱１２の周囲に配置されて、支柱１２を一時的に保持する。なお、支柱保持具１０は、ひもや太い輪ゴム等の固定部材を用いて支柱１２に仮固定するが、図面では固定部材を省略している。
【００１０】
支柱保持具１０は、長手材１４と、副材１６とを備える。長手材１４は、長方形の板状部材で、木材や樹脂等から構成される。長手材１４は、支柱１２の下部を埋設する穴Ｐをまたぐように置くことができれば形状の制限はなく、角材や棒材等であってもよい。長手材１４は、支柱１２の側面１２ａに触れる接触面１４ａを備える。副材１６は、長手材１４に連結されており、長手材１４に支持される。副材１６は、中間部材等を挟んで、長手材１４に間接的につながれることによって支持されていてもよい。副材１６は、第一面１６ａと、第二面１６ｂとを備える。
【００１１】
第一面１６ａには、支柱１２の長さ方向に沿った溝２０，２２が設けられている。第二面１６ｂは、第一面１６ａの反対側にあり、側面１２ａと異なる支柱１２の他の側面１２ｂに触れる。本実施形態では、第一面１６ａに複数の溝２０，２２が設けられているが、溝は１つでもよい。また、本実施形態では、副材１６が２つの部材で構成されているが、副材１６は１つの部材で構成されていてもよいし、３つ以上の部材で構成されていてもよい。
【００１２】
このように、支柱保持具１０の側面１２ａと側面１２ｂに、長手材１４の接触面１４ａと副材１６の第一面１６ａがそれぞれ触れている。したがって、穴Ｐをまたぐように長手材１４が水平に設置された状態で、支柱保持具１０が支柱１２に仮固定されれば、二方向の側面１２ａ，１２ｂが押さえられるので、支柱１２は鉛直に立てられた状態を保てる。そして、この状態で穴Ｐにコンクリート等を流し込み支柱１２の下部を地中に固定した後に支柱保持具１０を支柱１２から取り外せば、支柱１２の設置が簡易かつ正確に行える。支柱保持具１０を支柱１２に仮固定する方法は後述する。
【００１３】
（第二の実施形態）
図３は本考案の第二の実施形態に係る支柱保持具３０の平面図である。本実施形態では、鉛直に立てられた支柱３２，３３の周囲に支柱保持具３０が配置されて、支柱３２，３３の間隔を一定に保った状態で、支柱保持具３０が支柱３２，３３を一時的に保持する。支柱保持具３０は、長手材３４と、２つの副材３６，３７を備える。副材３６，３７は、互いの第一面３６ａ，３７ａが向かい合うように長手材３４に支持されている。第一面３６ａには溝４０，４１が、第一面３７ａには溝４２，４３がそれぞれ設けられている。
【００１４】
２つの副材３６，３７の距離、すなわち副材３６，３７のそれぞれの第二面３６ｂ，３７ｂの間の距離は、隣り合った支柱３２，３３の間隔になる。このため、設置する支柱３２，３３の間隔に対応させて副材３６，３７を長手材３４に取り付けておけば、支柱保持具３０を用いて２本の支柱を所定の間隔で設置できる。図４は、３本の支柱４４，４５，４６に、支柱保持具３０を仮固定した状態を示す正面図である。図４に示すように、３本以上の支柱に支柱保持具３０を用いる場合は、上下方向にずらしながら隣り合った支柱間に支柱保持具３０を繰り返し配置することによって、支柱を簡単に等間隔で設置できる。また、支柱が長い場合、図４に示すように、支柱保持具３０を上下に仮固定してもよい。
【００１５】
つぎに、支柱保持具１０を支柱１２に仮固定する方法について説明する。支柱保持具３０を支柱３２，３３に仮固定する方法も同様である。図５から図８は、支柱保持具１０を支柱１２に仮固定する方法を説明するための平面図および左側面図である、この方法では、固定部材として弾性リング５０、例えば太い輪ゴムを、長手材１４および副材１６にあらかじめ掛けておく。
【００１６】
まず、図５に示すように、弾性リング５０の一端５０ａを、第一面１６ａ側の溝２０に嵌め込んだ後、長手材１４の接触面１４ａの反対側で弾性リング５０の中間部５０ｂを交差させる。つぎに、図６に示すように、弾性リング５０の他端５０ｃが長手材１４の端部をまたぐようにして、弾性リング５０の他端５０ｃを副材１６の第二面１６ｂ側に配置させる。こうして、支柱保持具１０は、一端５０ａが副材１６の第一面１６ａ側に配置され、中間部５０ｂが長手材１４の接触面１４ａの反対側で交差して、他端５０ｃが副材１６の第二面１６ｂ側に配置される弾性リング５０を有するようになる。
【００１７】
そして、支柱保持具１０を支柱１２の周囲に配置し、図７に示すように、弾性リング５０の他端５０ｃが支柱１２を囲むように弾性リング５０を引っ張って、弾性リング５０の他端５０ｃを溝２２に嵌め込む。こうして、支柱保持具１０が支柱１２に仮固定される。その後、穴Ｐにコンクリート等を充填して支柱１２を固定したら、支柱保持具１０を支柱１２から取り外す。このように、本考案によれば、支柱の設置が簡易かつ正確に行える。複数の支柱を固定したら、横板等を支柱に取り付けて、フェンスを完成させる。
【００１８】
以上、各実施形態に基づいて本考案の支柱保持具を説明したが、本考案の支柱保持具は上記実施形態に限定されない。本考案の支柱保持具では、副材の第一面に溝を１つだけ設けてもよい。この場合、支柱の周囲に支柱保持具を配置したとき、弾性リングの一端を副材と長手材のつなぎ目付近に、弾性リングの他端を溝に嵌め込めば、支柱保持具を支柱に仮固定できる。また、弾性リングを用いず、ひもを用いて、支柱と副材とを結び付けてもよい。この場合、ひもが溝を通るように結び付ければ、支柱と副材および長手材が離れにくくなる。
【符号の説明】
【００１９】
１０  支柱保持具
１２  支柱
１２ａ，１２ｂ…側面
１４  長手材
１４ａ…接触面
１６  副材
１６ａ…第一面、  １６ｂ…第二面
２０，２２，４０，４１，４２，４３  溝
３０  支柱保持具
３２，３３，４４，４５，４６  支柱
３４  長手材
３４ａ…接触面
３６，３７  副材
３６ａ，３７ａ…第一面、  ３６ｂ，３７ｂ…第二面
５０  弾性リング
５０ａ…一端、  ５０ｂ…中間部、  ５０ｃ…他端
Ｐ  穴
【図１】
0003191184.tif 000003
【図２】
0003191184.tif 000004
【図３】
0003191184.tif 000005
【図４】
0003191184.tif 000006
【図５】
0003191184.tif 000007
【図６】
0003191184.tif 000008
【図７】
0003191184.tif 000009